(57)【特許請求の範囲】
【請求項１】
手動油圧プレス機であって、
フレームと、
前記フレームに取り付けられる油圧シリンダと、
前記油圧シリンダに作動油を供給する手動ポンプと、
操作している状態では油圧保持位置で前記油圧シリンダの油圧を保持し、操作していない状態では油圧開放位置に戻って前記油圧シリンダの油圧を開放するリリーフバルブと、
を備えることを特徴とする手動油圧プレス機。
【請求項２】
請求項１に記載の手動油圧プレス機であって、
前記リリーフバルブは、錘が取り付けられ、操作していない状態では前記錘の自重により前記油圧開放位置に戻る、
ことを特徴とする手動油圧プレス機。
【請求項３】
請求項１に記載の手動油圧プレス機であって、
前記リリーフバルブは、スプリングが取り付けられ、操作していない状態では前記スプリングの弾性力により前記油圧開放位置に戻る、
ことを特徴とする手動油圧プレス機。
【請求項４】
請求項１から３のいずれかに記載の手動油圧プレス機であって、
前記リリーフバルブを操作していない状態において、前記リリーフバルブを前記油圧開放位置で位置決めするストッパーを備える、
ことを特徴とする手動油圧プレス機。
【請求項５】
請求項１から４のいずれかに記載の手動油圧プレス機であって、
前記リリーフバルブを操作している状態において、前記リリーフバルブを前記油圧保持位置で位置決めするストッパーを備える、
ことを特徴とする手動油圧プレス機。 
【発明の詳細な説明】
【技術分野】
【０００１】
本発明は、手動油圧プレス機に関する。
【背景技術】
【０００２】
特許文献１には、スタート用のスイッチをプレス機の左右に２つ設けて、作業者が両手を使って２つのスイッチを同時に操作したときにのみプレス機が作動するようにした安全装置が開示されている。
【先行技術文献】
【特許文献】
【０００３】
【特許文献１】実開平５−６９４９８号公報
【発明の概要】
【発明が解決しようとする課題】
【０００４】
上記の安全装置は、動力源を有する自動プレス機でなければ適用できない。しかしながら、手動油圧プレス機においても、油圧シリンダに油を供給するポンプを片手で操作できるので、油圧シリンダとワークを載置するテーブルとの間に他方の手を入れた状態でプレス機を作動させることができ、安全性を確保できないという問題がある。
【０００５】
本発明は、このような技術的課題に鑑みてなされたもので、両手を使って操作している状態でのみ作動させることができる手動油圧プレス機を提供することを目的とする。
【課題を解決するための手段】
【０００６】
本発明のある態様によれば、手動油圧プレス機であって、フレームと、前記フレームに取り付けられる油圧シリンダと、前記油圧シリンダに作動油を供給する手動ポンプと、操作している状態では油圧保持位置で前記油圧シリンダの油圧を保持し、操作していない状態では油圧開放位置に戻って前記油圧シリンダの油圧を開放するリリーフバルブと、を備えることを特徴とする手動油圧プレス機が提供される。
【発明の効果】
【０００７】
上記態様によれば、両手を使ってリリーフバルブと手動ポンプとを操作しなければプレス機を作動させることができないので、安全性を確保できる。
【図面の簡単な説明】
【０００８】
【図１】本発明の実施形態に係る手動油圧プレス機の概略構成図である。
【図２】リリーフバルブの変形例を示す図である。
【発明を実施するための形態】
【０００９】
以下、添付図面を参照しながら本発明の実施形態について説明する。
【００１０】
図１は、本発明の実施形態に係る手動油圧プレス機の概略構成を示している。
【００１１】
手動油圧プレス機（以下、プレス機と言う。）１は、フレーム２と、フレーム２の上辺２ａに取り付けられる油圧シリンダ３と、油圧シリンダ３に作動油を供給する手動ポンプ４と、油圧シリンダ３の油圧を保持または開放するリリーフバルブ５と、を備える。また、フレーム２には、ワーク（図示せず）を載置するテーブル２ｂが取り付けられる。
【００１２】
油圧シリンダ３のロッド３ａにはブラケット６が取り付けられ、ブラケット６の両端は、２つのスプリング７でフレーム２の上辺２ａと連結される。油圧シリンダ３の油圧が開放された状態では、２つのスプリング７がブラケット６と共にロッド３ａを引き上げて、油圧シリンダ３が収縮する。
【００１３】
手動ポンプ４はレバー４ａを備え、図１に矢印で示すように、レバー４ａを上下に操作して手動ポンプ４を作動させると、作動油が油圧シリンダ３に供給される。
【００１４】
リリーフバルブ５は、右回転させると油圧シリンダ３の油圧が保持される閉塞状態となり、左回転させると油圧シリンダ３の油圧が開放される開放状態となるバルブである。
【００１５】
リリーフバルブ５を閉塞状態にして手動ポンプ４を作動させると、作動油が油圧シリンダ３に供給されて油圧シリンダ３が伸長する。リリーフバルブ５を開放状態にすると、油圧シリンダ３の油圧が開放され、上記のように、スプリング７がロッド３ａを引き上げて油圧シリンダ３が収縮する。
【００１６】
また、リリーフバルブ５にはレバー５ａが接続されており、レバー５ａの先端には錘５ｂが取り付けられる。錘５ｂの重量は、錘５ｂの自重でレバー５ａが下がってリリーフバルブ５が左回転するように設定される。
【００１７】
レバー５ａの下側にはストッパー８が設けられ、ストッパー８に当接する位置でレバー５ａの下方への移動が規制される。ストッパー８は、リリーフバルブ５が開放状態となった位置でレバー５ａと当接するように、フレーム２の上辺２ａに取り付けられる。これにより、油圧シリンダ３の油圧が開放される位置でリリーフバルブ５を容易に位置決めでき、また、レバー５ａの作動ストロークも最小限となる。
【００１８】
また、レバー５ａの上側にはストッパー９が設けられ、ストッパー９に当接する位置でレバー５ａの上方への移動が規制される。ストッパー９は、リリーフバルブ５が閉塞状態となった位置でレバー５ａと当接するように、フレーム２の上辺２ａに取り付けられる。これにより、油圧シリンダ３の油圧が保持される位置でリリーフバルブ５を容易に位置決めでき、また、レバー５ａの作動ストロークも最小限となる。
【００１９】
リリーフバルブ５は上記のように構成されるので、作業者がレバー５ａを持ち上げていない状態では、レバー５ａがストッパー８と当接する位置、つまり、開放状態となって油圧シリンダ３の油圧が開放される位置に自動的に戻ることになる。
【００２０】
したがって、プレス機１は、図１に破線で示すように、ストッパー９と当接する位置までレバー５ａを持ち上げた状態で手動ポンプ４を操作しなければ、作動させることが出来ない。
【００２１】
そして、このような操作は、作業者が両手を使わなければ行うことが出来ないので、プレス機１の作動中に油圧シリンダ３とテーブル２ｂとの間に作業者が手を入れることを防止できる。
【００２２】
以上述べたように、本実施形態によれば、リリーフバルブ５の位置が、油圧シリンダ３の油圧が開放される位置に自動的に戻るので、両手を使ってレバー５ａを持ち上げつつ手動ポンプ４を操作しなければ、プレス機１を作動させることが出来ない。したがって、プレス機１の作動中に、油圧シリンダ３とテーブル２ｂとの間に作業者が手を入れることを防止でき、安全性を確保できる（請求項１、２に対応する効果）。
【００２３】
また、ストッパー８を備えるので、油圧シリンダ３の油圧が開放される位置でリリーフバルブ５を容易に位置決めでき、レバー５ａの作動ストロークも最小限となるので、作業性が向上する（請求項４に対応する効果）。
【００２４】
また、ストッパー９を備えるので、油圧シリンダ３の油圧が保持される位置でリリーフバルブ５を容易に位置決めでき、レバー５ａの作動ストロークも最小限となるので、作業性が向上する（請求項５に対応する効果）。
【００２５】
以上、本発明の実施形態について説明したが、上記実施形態は本発明の適用例の一部を示したに過ぎず、本発明の技術的範囲を上記実施形態の具体例に限定する趣旨ではない。
【００２６】
上記実施形態では、錘５ｂの自重により、リリーフバルブ５の位置が、油圧シリンダ３の油圧が開放される位置に自動的に戻るようにしているが、例えば、図２に示すように、レバー５ａとフレーム２の上辺２ａとをスプリング５ｃで連結して、スプリング５ｃの弾性力によりリリーフバルブ５の位置が戻るようにしてもよい。この場合も、上記実施形態と同様の効果を得ることができる（請求項３に対応する効果）。
【００２７】
また、上記実施形態のプレス機１は、右回転させると閉塞状態となり、左回転させると開放状態となるリリーフバルブ５を備えているが、回転方向が逆向きのバルブを備える場合でも、本発明を適用することができる。
【符号の説明】
【００２８】
１    手動油圧プレス機（プレス機）
２    フレーム
２ａ  上辺（フレーム）
２ｂ  テーブル（フレーム）
３    油圧シリンダ
４    手動ポンプ
５    リリーフバルブ
５ｂ  錘
５ｃ  スプリング
８    ストッパー
９    ストッパー 
【図１】
0005863744.tif 000002
【図２】
0005863744.tif 000003